(57)【特許請求の範囲】
【請求項１】
シートが搬送される搬送路を形成する第１の導電性部材と、
一端が前記第１の導電性部材に当接して弾性力を及ぼすように配置される第２の導電性部材と、
前記第２の導電性部材が収容され、前記第２の導電性部材の付勢方向を規制する筒部と、
電気基板を支持する第３の導電性部材と
を備え、
前記第３の導電性部材は、前記筒部における前記搬送路の反対側に設けられた開口部に挿入される板部を有し、
前記板部により前記第２の導電性部材の他端を押圧することを特徴とするシート搬送装置。
【請求項２】
前記開口部は前記筒部に設けたスリットであり、
前記スリットに前記板部が挿入されることを特徴とする請求項１に記載のシート搬送装置。
【請求項３】
前記板部は、前記搬送路と垂直であり、前記搬送路と平行に延びることを特徴とする請求項２に記載のシート搬送装置。
【請求項４】
前記シート搬送装置の装置本体に設けられる固定軸と、
前記第３の導電性部材に設けられる支持部と、を有し、
前記支持部が前記固定軸に対して回動可能に当接し、前記固定軸を中心として前記第３の導電性部材を回動させることで、前記板部が前記開口部に当接可能であることを特徴とする請求項１から３のいずれか１項に記載のシート搬送装置。
【請求項５】
前記第１の導電性部材に対向して配置され、前記第１の導電性部材との間に前記搬送路を形成する導電性の上部搬送ガイドと、
前記上部搬送ガイドと前記第１の導電性部材とを電気的に導通する弾性部材と
を備えることを特徴とする請求項１から４のいずれか１項に記載のシート搬送装置。
【発明の詳細な説明】
【技術分野】
【０００１】
本発明は、スキャナ、プリンタ等、原稿等のシート材を搬送する搬送装置に関するものである。
【背景技術】
【０００２】
シートスルー方式の自動原稿送り装置を用いた従来の画像読取装置の一例を記す。この画像読取装置は、上部ユニットと下部ユニットからなり、上部ユニットと下部ユニットで挟む空間が原稿を搬送する搬送路となっている。搬送路には、紙の摩擦によって発生する静電気を低減する目的およびEMC対策として金属製の搬送板が設けられている。下部ユニットには、この搬送板のほか、EMC対策として装置制御用の電気基板をシールドする金属製のシールド板を備える。搬送板には曲げ加工を施した突出部が設けられ、突出部がシールド板に圧接され、シールド板が装置のアースに繋がれている。よって、搬送路で発生した静電気が搬送板とシールド板を通り装置のアースに流れる。
【０００３】
特許文献１は、金属製の板バネにより２つの板金に対して圧接し、２つの板金の電気的導通を得ている。
【先行技術文献】
【特許文献】
【０００４】
【特許文献１】特許第５８２１４７４号公報
【発明の概要】
【発明が解決しようとする課題】
【０００５】
従来の画像読取装置は、搬送板に設けた突出部の分だけ搬送板の展開時の面積が大きくなり、また、装置の組立作業時に突出部を周辺の部品に引っ掛けてしまい、突出部を変形させる可能性があるため組立性が悪かった。
【０００６】
特許文献１は、２つの板金の間を繋ぐ板バネを設けるための製造コストが掛かる。
【０００７】
そこで、装置の小型化と組立性の向上が可能な静電気対策、ＥＭＣ対策が求められている。
【課題を解決するための手段】
【０００８】
本発明に係るシート搬送装置によれば、
シートが搬送される搬送路を形成する第１の導電性部材と、
一端が前記第１の導電性部材に当接して弾性力を及ぼすように配置される第２の導電性部材と、
前記第２の導電性部材が収容され、前記第２の導電性部材の付勢方向を規制する筒部と、
電気基板を支持する第３の導電性部材と
を備え、
前記第３の導電性部材は、前記筒部における前記搬送路の反対側に設けられた開口部に挿入される板部を有し、
前記板部により前記第２の導電性部材の他端を押圧することを特徴とする。
【発明の効果】
【０００９】
本発明によれば、静電気対策およびＥＭＣ対策としての上部ユニットと下部ユニットとの導通構造を簡略化し、サービス性・組立性を向上でき、装置を小型化できる。
【図面の簡単な説明】
【００１０】
【図１】本発明の一実施形態に係る画像読取装置の概略図。
【図２】本発明の一実施形態に係る画像読取装置の制御ユニットのブロック図。
【図３】本発明の一実施形態に係る画像読取装置の正面図。
【図４】本発明の一実施形態に係る画像読取装置の他の上面図。
【図５】本発明の一実施形態に係る画像読取装置の概略断面図。
【図６】本発明の一実施形態に係る画像読取装置の他の概略断面図。
【図７】本発明の一実施形態に係る画像読取装置給紙部近傍の拡大図である。
【図８】本発明の一実施形態に係るロック部略図。
【図９】本発明の一実施形態に係る画像読取装置の搬送路ＲＴ側から見た上部ユニットの正面図。
【図１０】本発明の一実施形態に係る画像読取装置の主要部拡大図。
【図１１】本発明の一実施形態に係る画像読取装置の搬送路ＲＴ側から見た下部ユニットの正面図。
【図１２】本発明の一実施形態に係る画像読取装置の電気的な接続の状態を示す断面図。
【図１３】本発明の実施形態に係るコイルバネ３０２の周辺の概略断面図。
【図１４】本発明の実施形態に係るコイルバネ３０２の周辺の概略断面図。
【図１５】本発明の実施形態に係るコイルバネ３０２の周辺の概略斜視図。
【図１６】本発明の実施形態に係るコイルバネ３０２の周辺の概略斜視図。
【図１７】本発明の実施形態に係るコイルバネ３０２の周辺の詳細断面図。
【発明を実施するための形態】
【００１１】
図１は本発明の一実施形態に係る画像読取装置Ａの概略図である。
＜装置の構成＞
【００１２】
画像読取装置Ａは、載置台１に積載された一又は複数の搬送媒体Ｓを１つずつ装置内に搬送路ＲＴにて搬送してその画像を読み取り、排出トレイ２に排出する装置である。読み取る搬送媒体Ｓは、例えば、ＯＡ紙、チェック、小切手、名刺、カード類等のシートであり、厚手のシートであっても、薄手のシートであってもよい。カード類は、例えば、保険証、免許証、クレジットカード等を挙げることができる。
＜給紙＞
【００１３】
搬送路ＲＴに沿って搬送媒体Ｓを給送する給送機構としての第１搬送部１０が設けられている。第１搬送部１０は本実施形態の場合、送りローラ１１と、送りローラ１１に対向配置される分離ローラ１２と、を備え、載置台１上の搬送媒体Ｓを搬送方向Ｄ１に一つずつ順次搬送する。また、第１搬送部１０には上部搬送ガイド１３と下部搬送ガイド１４が設けられ、上部搬送ガイド１３と下部搬送ガイド１４は、搬送路ＲＴを挟んで対抗する位置に配置されており後述する第２搬送部２０に搬送媒体Ｓを導くガイドとなっている。
【００１４】
送りローラ１１には、モータ等の駆動部３から伝達部５を介して駆動力が伝達され、図中矢印方向（搬送路ＲＴに沿って搬送媒体Ｓを搬送させる正方向）に回転駆動される。伝達部５は例えば電磁クラッチであり、駆動部３からの送りローラ１１への駆動力を断続する。
＜駆動部＞
【００１５】
駆動部３、４と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
＜分離構造＞
【００１６】
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して駆動部３から駆動力が伝達され、実線矢印方向（送りローラ１１の正方向とは逆方向））に回転駆動される。
【００１７】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００１８】
なお、本実施形態では分離ローラ１２と送りローラ１１とで分離機構を構成したが、このような分離機構は必ずしも設けなくてもよく、搬送路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
＜搬送構造＞
【００１９】
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００２０】
このような第２搬送部２０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。駆動ローラ３１にはモータ等の駆動部４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００２１】
排出トレイ２は、画像読取装置Ａに対して回動可能なように、画像読取装置Ａの下方に設けられた第１ヒンジ６を介して軸支されている。また、第１ヒンジ６側の第１排出トレイ２ａとその先端側に接続された第２排出トレイ２ｂとから構成されており、第２排出トレイ２ｂは第１排出トレイ２ａに対して回動可能に軸支されている。
＜画像読取構造、制御＞
【００２２】
ここで、本実施形態の画像読取装置Ａでは、第２搬送部２０と第３搬送部３０との間に配置される画像読取ユニット７０によって画像の読み取りを行うため、第２搬送部２０及び第３搬送部３０は搬送媒体Ｓを定速搬送する。搬送速度は常に第１搬送部１０の搬送速度以上とすることで、先行搬送媒体Ｓに後続搬送媒体Ｓが追いついてしまう事態を確実に回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２３】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
＜重送検出＞
【００２４】
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
＜レジストセンサ＞
【００２５】
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）の一例であり、第１搬送部１０により搬送される搬送媒体Ｓの位置、詳細には、媒体検出センサ５０の検出位置に搬送媒体Ｓの端部が到達又は通過したか否かを検出する。媒体検出センサ５０としては、種々のものが利用可能であるが、本実施形態の場合には光学センサであり、発光部５１とその受光部５２とを備え、搬送媒体Ｓの到達又は通過により受光強度（受光量）が変化すること
を原理として搬送媒体Ｓを検出する。
【００２６】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。なお、この媒体検出センサ５０は、上記の光学センサに限定されず、例えば、搬送媒体Ｓの端部が検知できるセンサ（イメージセンサ等）を用いてもよいし、搬送路ＲＴに突出したレバー型のセンサでもよい。
【００２７】
媒体検出センサ５０とは別の媒体検出センサ６０が画像読取ユニット７０よりも上流側に配置されている。第２搬送部２０よりも下流側に配置された下流側の検出センサとしての一例であり、第２搬送部２０により搬送される搬送媒体Ｓの位置を検出する。媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、媒体検出センサ６０だけでもよい。
＜CISの配置＞
【００２８】
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。本実施形態の場合、画像読取ユニット７０は搬送路ＲＴの両側に一つずつ配置されており、搬送媒体Ｓの表裏面を読み取る。しかし、搬送路ＲＴの片側にのみ一つ配置して、搬送媒体Ｓの片面のみを読み取る構成としてもよい。また、本実施形態では、画像読取ユニット７０を搬送路ＲＴの両側に対向配置した構造としているが、例えば、搬送路ＲＴの方向に間隔をあけて配置してもよい。また、２つの画像読取ユニット７０のうち少なくとも一方を搬送媒体Ｓの厚み方向に移動可能に支持した構成であってもよい。例えば、一方の画像読取ユニット７０は後述する下部ユニット１０４に固定し、もう一方の画像読取ユニットは後述する上部ユニット１０３の中で、搬送面に対して垂直な方向に移動可能に支持し、バネ等で付勢し対向の画像読取ユニット７０に突き当てる。この構成にすることで、原稿が通過するとき上部ユニット１０３側の画像読取ユニット７０が原稿の厚さに応じて移動するので、薄紙から厚紙までの画像読取が可能になる。
＜ブロック図の説明＞
【００２９】
図２を参照して制御部８０について説明する。図２は画像読取装置Ａの制御部８のブロック図である。
【００３０】
制御部８０はＣＰＵ８１、記憶部８２、操作部８３、通信部８４及びインターフェース部８５を備える。ＣＰＵ８１は記憶部８２に記憶されたプログラムを実行することにより、画像読取装置Ａ全体の制御を行う。記憶部８２は例えばＲＡＭ、ＲＯＭ等から構成される。操作部８３は、例えば、スイッチやタッチパネル等で構成され、操作者からの操作を受け付ける。
【００３１】
通信部８４は、外部装置との情報通信を行うインターフェースである。外部装置としてＰＣ（パソコン）を想定した場合、通信部８４としては、例えば、ＵＳＢインターフェースやＳＣＳＩインターフェース、ＬＡＮを挙げることができる。また、このような有線通信のインターフェースの他、通信部８４は無線通信のインターフェースとしてもよく、有線通信、無線通信の双方のインターフェースを備えていてもよい。
【００３２】
インターフェース部８６はアクチュエータ８５やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
＜PCからの開始指示受信による駆動＞
【００３３】
画像読取装置Ａの基本的な動作について説明する。制御部８０は、画像読取装置に備わった、表示パネル９０、タッチパネルまたはキースイッチ１２２などの操作画面から画像読み取りの開始指示を受信すると、第１搬送部１０乃至第３搬送部３０の駆動を開始する。載置台１に積載された搬送媒体Ｓはその最も下に位置する搬送媒体Ｓから１つずつ搬送される。
＜重送時の制御＞
【００３４】
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
＜レジストセンサの出力に応じた読取開始＞
【００３５】
制御部８０は、媒体検出センサ６０の検出結果に基づくタイミングで、第２搬送部２０により搬送されてきた搬送媒体Ｓの、画像読取ユニット７０、７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
＜排紙構造＞
【００３６】
図３は本発明の一実施形態に係る画像読取装置Ａの排出トレイ２を展開した状態の正面図である。
【００３７】
装置本体の前面側を構成する上部ユニット１０３には、大型の表示パネル９０が設けられている。また、正面上部の表示パネル９０には表示画面９３が設けられ、隣接した位置に操作キー１２２が設けられている。
【００３８】
正面下部の下部パネル９１には排出開口９２が設けられており、第３搬送部３０によって搬送された搬送媒体Ｓが排出される。
＜給送構造詳細＞
【００３９】
図４は本発明の一実施形態に係る画像読取装置Ａの排出トレイ２を収納した状態における上面図である。
【００４０】
第１搬送部１０の載置台１には、配置される搬送媒体Ｓの大きさに合わせて搬送方向に対して直交する方向にスライド可能に取り付けられた規制部材１１１が設けられている。
【００４１】
図４に示す排出トレイ２の収納状態においては、上部ユニット１０３の表示パネル９０が排出トレイ２によって覆われている。なお、上部ユニット１０３の載置台１側の上端部には、詳細は後述するが、搬送路ＲＴを開閉するための操作アーム２０５が設けられている。＜上部ユニット詳細＞
【００４２】
図５及び図６は本発明の一実施形態に係る画像読取装置Ａの概略断面図である。本体１００は、上部ユニット１０３と下部ユニット１０４とから構成され、上部ユニット１０３は下部ユニット１０４に対し、本体ヒンジ１０５を支点として回動可能に取り付けられている。
【００４３】
上部ユニット１０３は、表示パネル９０に最大搬送路幅Ｗｍａｘを超える幅の表示画面９３の支持フレーム板金を備えているため、図６に示すように上部ユニット１０３を展開した状態における重心は、図１に示すような上部ユニット１０３を収納した状態よりも搬送方向前方側に大きくずれることになる。
【００４４】
したがって、上部ユニット１０３を展開する際に勢いがあると画像読取装置Ａが転倒してしまう虞があるが、本実施形態に係る画像読取装置Ａにおいては、突出部１３０を有することにより、上部ユニット１０３の展開に伴う重心移動が起こっても画像読取装置Ａの転倒を防ぐことができる。突出部１３０の突出量は、図５のような上部ユニット１０３及び排出トレイ２の収納状態においては、排出トレイ２の下方に収まるような突出量であって、図６のような上部ユニット１０３の展開状態においては、画像読取装置Ａの重心よりも搬送方向前方まで位置するような突出量となっている。これにより、上部ユニット１０３の展開による画像読取装置Ａの転倒を防止しつつ、排出トレイ２を収納した収納状態においては必要以上に突出させず、ユーザーの邪魔にならないようにすることができる。＜上部ユニットのアース＞
【００４５】
図７及び図８は本発明の一実施形態に係る画像読取装置Ａの上部ユニット１０３が下部ユニット１０４に収納された状態における、給紙部近傍の拡大図である。
【００４６】
上部ユニット１０３を収納する際に勢いよく回動させると、上部ユニット１０３が下部ユニット１０４側に接触する際に大きな衝撃が加わり、大きな音が発生してしまうなどすることがある。本実施形態に係る画像読取装置Ａにおいては、上部ユニット１０３を収納状態で保持するロック部材２０１が設けられ、このロック部材２０１の近傍には導電性の上部弾性部材１４０が設けられている。上記ロック部材２０１は、図８に示すように下部ユニット１０４に備わったフック部２０２と係り合うフック爪２０３を備え、引っ張りばね２０４によって前記フック爪２０３がフック部２０２に係合する方向（矢印ａ方向）に力を受けており、フック部２０２とフック爪２０３が掛り合うことで上部フレーム１０３が収納状態を維持している。ロック部材２０１の操作アーム２０５を矢印ｂ方向に動かすことで、フック部２０２からフック爪２０３が外れ、上部ユニット１０３が本体ヒンジ１０５（図５参照）を支点として開方向に回動することが可能になる。上部弾性部材１４０は、例えばトーションバネのような線バネを用いており、上部ユニット１０３を矢印ｃ方向に押し上げる十分な力を備えている。
【００４７】
上部ユニット１０３が収納状態となる際に、上部弾性部材１４０が下部ユニット１０４側に設けられた接点部１４１に弾性付勢されながら収納状態となる。
【００４８】
接点部１４１の一部には傾斜が設けられ、上部ユニット１０３が収納状態の時には、上部弾性部材１４０が傾斜部に当接し、フック部２０２とフック爪２０３の掛りが外れたときに上部ユニット１０３を押し上げやすくなっている。
【００４９】
ここで、上部弾性部材１４０の付勢前の状態を点線で示し、付勢後の状態を実線で示す。すなわち、距離ｅが上部弾性部材の変位量(たわみ量)となる。一方、フック部２０２とフック爪２０３との掛かり量は、ｆとなる。前記たわみ量と掛かり量の関係はｅ>ｆであり、掛かりが外れたときには、上部ユニット１０３を距離ｅだけ押し上げることが可能となる。
【００５０】
上部弾性部材１４０の上部ユニット１０３に取り付けられる側の端部は、上部ユニット１０３内に設けられた電装部品のグランド側と導通しており、上部弾性部材１４０が接点部１４１に接触することによって下部ユニット１０４内に配置された電装部品のグランド側に導通される。したがって、上部ユニット１０３の収納状態において、上部弾性部材１４０を介してアースを取ることができる。
【００５１】
図９に本発明の一実施形態に係る画像読取装置Ａの上部ユニット１０３の搬送路ＲＴ側から見た正面図を示す。
【００５２】
図９に示すように、前記上部弾性部材１４０は、前記ロック部材２０１と共に原稿搬送面の原稿搬送路外に配置されると共に原稿搬送路を挟んで搬送方向に対して垂直方向であって、かつ上部ユニット１０３の幅方向両側に位置する。これにより、上部ユニット１０３を勢いよく収納した際にも上部ユニット１０３両側で弾性部材が図中の左右で均等にたわんで、上部ユニット１０３に瞬間的なねじれなど変形が発生するのを防止しするとともに、衝撃が上部弾性部材１４０により緩和されることで内部にある電装部品の保護を行うことが出来る。特に上部ユニット１０３に前述したように表示パネル９０上の表示画面９３や隣接した位置に操作キー１２２などを備えた場合には、上部ユニットの１０３の重量が重くなるばかりでなく衝撃に弱い部品が多いため電装部品にかかる衝撃緩和を行うことは必須になる。
【００５３】
前記上部弾性部材１４０は、本体ヒンジ１０５から離れたロック部材１５０近傍に配置することで、付勢時の荷重のばらつきが少なくなり、左右均等に衝撃の緩和が可能となる。
【００５４】
図１０は、本発明の一実施形態に係る画像読取装置Ａの装置断面図において上部弾性部材１４０の電気的な接続の状態を示す図である。
【００５５】
上部弾性部材１４０の一端は、上部ユニット１０３の搬送路として備わった導電性の上部搬送ガイド１３(例えば、金属鋼板)に接触している。前記上部搬送ガイド１３は、後述する画像読取ユニット７０を覆う上部金属製部材７４と電気的に接続されており、下部ユニット１０４側に設けられた接点部１４１とも上部弾性部材１４０を介して電気的に接続されている。すなわち、上部搬送ガイド１３と下部搬送ガイド１４（例えば金属鋼板）とが、上部ユニット１０３が下部ユニット１０４に対して収納状態のときに、上部弾性部材１４０により電気的に導通している。
【００５６】
図１１に本発明の一実施形態に係る画像読取装置Ａの下部フレーム１０４の搬送路ＲＴ側から見た正面図を示す。
【００５７】
搬送路を形成する導電性の下部搬送ガイド１４の一部が接点部１４１となっている。接点１４１は、搬送媒体Ｓの搬送可能範囲より外側に位置し、前記ロック部材２０１も同様に搬送媒体Ｓの搬送可能範囲より外側にある。
【００５８】
本発明の一実施形態に係る画像読取装置Ａでは、搬送媒体Ｓの搬送により発生する静電気が前記上部搬送ガイド１３と下部搬送ガイド１４に流れ上部搬送ガイド１３へ流れた電荷は上部弾性部材１４０により下部搬送ガイド１４に流れる。さらに、上部弾性部材１４０が搬送方向に対して垂直方向に搬送路ＲＴを挟んだ両側に配置され、接点部１４１と接触していることで、静電気による電荷の移動が一方向に片寄ることがなくなるため、電荷の移動により発生する電磁波の変化が原因で前記画像読取ユニット７０の信号にノイズが入り、誤動作することを防ぐことも可能となる。
【００５９】
上部弾性部材１４０の付勢力により上部ユニット１０３が押し上げられるが、好ましくは、ユーザーの指が押し上げられたスペースに入り込む程度にすることが好適である。その場合、上部弾性部材１４０の変位量としてある程度必要となり、それに伴って接点部１４１としても搬送方向Ｄ１と平行な方向にある程度の長さを確保する必要がある。本実施形態においては、搬送路の両脇の、幅方向としては狭い領域ではありながら、搬送方向Ｄ１方向にはある程度の領域を確保できる部分に対して上部弾性部材１４０を当接させることによって、上部ユニット１０３を所望の高さ浮き上がらせることができると同時に、電気的な接触も行うことで上部ユニット１０３と下部ユニット１０４の導通を取ることができる。さらに、搬送路の両脇に対して電気的な接点を取ることにより、搬送媒体Ｓが静電気により帯電していたとしても、上部ユニット１０３または下部ユニット１０４の両方に対して電気的に静電気が逃げやすい構成とすることができ、下部ユニット１０４内で静電気の処理を行うよりも、装置全体として有効な静電気等への対策を取ることができる。＜ＣＩＳユニットのアース＞
【００６０】
図１２は本発明の一実施形態に係る画像読取装置Ａの装置断面図において電気的な接続の状態を示す図である。
【００６１】
画像読取ユニット７０は、内部にコンタクトイメージセンサ（以下、ＣＩＳ）７１が設けられている。
【００６２】
画像読取ユニット７０は、下部ユニット１０４の収容部７７ａに挿入される際に、下部ユニット１０４側から突出した金属製の下部弾性部材７５を付勢しながら挿入され、収容完了位置において、嵌合固定される。下部弾性部材７５は、下部搬送ガイド１４に導通している。
【００６３】
画像読取ユニット７０の下面は下部金属製部材７６で覆われており、画像読取ユニット内部のＣＩＳ７１などの電装部品が静電気から保護されている。金属製部材７６で下部弾性部材７５を付勢しながら挿入されることで、画像読取ユニット７０は下部ユニット１０４に対しアースされる。
【００６４】
前記画像読取ユニットの７０のもう一方は、搬送路ＲＴを挟んで略対向した位置に配置され、上部ユニット１０３の上部金属製部材７４が備わった収納部７７ｂに移動可能に収納されＣＩＳ７１などの電装部品が静電気から保護されている。前記上部金属製部材７４は、弾性部を有しており、前記上部搬送ガイド１３に前記弾性部を押し当てることで電気的に接続されている。弾性部の代わりに導電性の部材(例えばトーションバネ)などを用いて接続されていても良い。
【００６５】
また、前記上部金属製部材７４は、上部ユニット１０３の下流にある除電ブラシ７９と金属製部材７８を介して電気的に接続されている。除電ブラシ７９は、搬送媒体Ｓ表面に帯電した静電気を除電する。除電された電荷は、金属製部材７８から上部金属製部材７４を通して上部搬送ガイド１３に導通し上部弾性部材１４０を介して下部ユニット１０４のアース部に流れる。
【００６６】
以上より搬送媒体Ｓによって上部側に発生した静電気と搬送媒体Ｓ上に発生した静電気は、除電ブラシ７９から各導電性部材を電気的に接続することで上部弾性部材１４０によって下部ユニット１０４側に導通することが可能となる。
【００６７】
なお、上部搬送ガイド１３、上部金属製部材７４、金属製部材７８は全て同一の部品で成り立っても良い。
【００６８】
また、前記上部金属製部材７４は、導電性部材４０１ａ、導電性部材４０１ｂを介して、上部ユニット１０３に備わる表示パネル９０内の電装部品(例えば、表示画面９３や操作キー１２２や各種センサの検知信号を制御する基板など)にも電気的に接続することでアースを取っている。＜その他下部ユニットの構成＞
【００６９】
下部ユニット１０４は、上述したように、上部ユニット１０３の一方端側を回転可能に取り付けるための本体ヒンジ１０５で接続し、上部弾性部材１４０の反発力によって他方端側が開方向に回動するのを防ぐために、上部フレーム１０３に備わったロック部材２０１と掛り合うことで、前記上部フレーム１０３が収納状態を維持できるフック部２０２を備えている。
【００７０】
また、搬送媒体Ｓを搬送するためのアクチュエータ８６、駆動ローラ２１、３１、下部搬送ガイド１４、画像読取ユニット７０の収納部７７、アクチュエータ８６を制御する通信部８４、支持フレーム３０１、制御部８０などを下部ユニット１０４内部に備えている。
【００７１】
下部ユニット１０４に取付けられた第１の導電性部材としての下部搬送ガイド１４の上流側の一端は、図１２に示すように、第２の導電性部材としてのコイルバネ３０２が付勢しており、下流側の一端は下部弾性部材７５を介して下部金属製部材７６と接続している。コイルバネ３０２は、下部搬送ガイド１４に付勢している側とは反対側を第３の導電性部材としての支持フレーム３０１によって付勢され、下部金属製部材７６、下部搬送ガイド１４を支持フレーム３０１に電気的に接続している。
【００７２】
以上より、搬送媒体Ｓによって下部側に発生した静電気は、下部金属製部材７６から各電気的接続部を介して支持フレーム３０１に導通することが可能となる。支持フレーム３０１は電気基板６０５や不図示の制御基板などのグランド電位と同電位となるように接続され、各金属部間で電位差が生じないようになっており、静電気の帯電を防ぐことができる。また、このように各部品を接続して導通を取ることにより装置の放射ノイズも低減することができる。
【００７３】
ここで、コイルバネ３０２の周辺の概略図として図１３と図１４に断面図を、図１５と図１６に斜視図を示す。図１３のように、コイルバネ３０２は下部ユニット１０４に設けた筒部６０１の中に収容されるように設けられ、支持フレーム３０１に設けた側板６０４（板部）と下部搬送ガイド１４のそれぞれに圧接する。側板６０４は支持フレーム３０１と一体の部品であってもよい。図１５のように、筒部６０１の搬送路の反対側には部分的に開口する開口部６０３が設けられ、支持フレーム３０１の側板６０４が開口部６０３に入り込んでコイルバネ３０２を下部搬送ガイド１４側に押し付ける。組立性の向上のため筒部６０１に設けた開口部６０３をスリットにしてもよく、また、開口部６０３の開口の大きさをコイルバネ３０２の直径より小さくしてもよい。
【００７４】
この開口部６０３は後述するように別部品で設けてもよい。この構成によれば、後述の支持フレーム３０１の付け外し時にコイルバネ３０２が落下することを防止できる。
【００７５】
支持フレーム３０１は電気基板６０５を固定し、電気基板６０５の放射ノイズを低減する部品である。電気基板６０５は顧客サービス等で交換が必要になる場合があり、支持フレーム３０１と一体で装置から付け外しが可能である。支持フレーム３０１の装置への組み付け作業の方法は、図１４、１６のように電気基板６０５を固定した支持フレーム３０１のＵ形状部６０６に軸部６０２を差し込み、軸部６０２を中心に支持フレーム３０１を矢印ｇ方向に側板６０４が開口部６０３の縁部に当接するまで回転し、図１３、１５の状態にして下部ユニット１０４に固定する。支持フレーム３０１を取り外す方法はこの逆である。支持フレーム３０１を組み付けるとき軸部６０２をガイドにして回転して組めるので、開口部６０３に側板６０４を確実に差し込むことができる。
【００７６】
また、下部搬送ガイド１４に対して支持フレーム３０１としてはビスなどの固定構造を有さない構成であるが、Ｕ字形状部６０６の開放方向は支持フレーム３０１の延びる方向であり、下部搬送ガイド１４を含む部材の自重により、下部搬送ガイド１４と支持フレーム３０１とが嵌合する方向への荷重が加わるため、安定した固定がなされている。
【００７７】
例えば、下部搬送ガイド１４の材料には、摩耗しにくい材料としてステンレス板を使用し、支持フレーム３０１の材料には、比較的安価な材料として電気亜鉛めっき鋼板を使用してもよい。電気亜鉛めっき鋼板のめっきは電気抵抗が比較的高く導通しにくいため、上記の構成において電気亜鉛めっき鋼板を使用する支持フレーム３０１は、めっきが無い切断面をコイルバネ３０２と接触させることで導通させている。
【００７８】
上記のコイルバネ３０２の構成は、上記従来の画像読取装置の搬送板の突出部のような部分が無いため、下部搬送ガイド１４の展開時の面積を小さくでき、部品コストや金型コストを低減できる。また、装置の組立作業時に突出部を周辺の部品に引っ掛け、突出部を変形させる可能性が無くなるため組立性を向上でき、品質を安定できる。
【００７９】
コイルバネ３０２の組み付け方法は、筒部６０１にコイルバネを落とし込むだけで良く、位置決めや引っ掛け等の行う必要がないので組立性を向上できる。
【００８０】
また、上記のコイルバネ３０２を使う構成は、２つの板金（下部搬送ガイド１４、支持フレーム３０１）の間を導通させるのはコイルバネ３０２であり、特許文献１のような板バネではないため金型コストが掛からず、製造コストを低減できる。また、コイルバネ３０２は特許文献１の板バネに比べてコイル径方向の部品寸法が小さくできるため、装置の小型化ができる。また、筒部６０１内部に挿入されるだけで良く、固定部を設ける必要がないため、構造的にも簡易であり、作業性も向上する。
【００８１】
図１７は、コイルバネ３０２周辺の詳細な断面図である。筒部６０１に形成された開口部６０３の中心軸を通る搬送方向Ｄ１と平行な面における断面図を表している。筒部６０１が、下部ユニット１０４に設けられた筒状の空間として形成されており、下部搬送ガイド１４と接している。コイルバネ３０２を筒部６０１内に挿入する作業性を向上するために、下部ユニット１０４は、搬送路側の下部フレーム１０４ａと、下部フレーム１０４ａに対して搬送路の法線方向から取り付けられる下部ガイド１０４ｂとで構成されている。下部ガイド１０４ｂには開口部６０３の一例としてのスリットが設けてある。
【００８２】
こうすることにより、下部フレーム１０４ａと下部搬送ガイド１４との取り付け後に、筒部６０１内にコイルバネ３０２を挿入し、それを覆うようにしてスリットを設けた下部ガイド１０４ｂを取り付けることによってコイルバネ３０２の脱落を簡易な構成で防ぐことが出来る。そしてスリットに対し側板６０４を挿入することにより、ビスなどの固定部材を用いることなく、支持フレーム３０１と下部搬送ガイド１４との確実な導通を取ることが出来る。
【符号の説明】
【００８３】
Ａ  画像読取装置Ｓ  搬送媒体１  載置台２  排出トレイ３、４  駆動部５  伝達部１０  第１搬送部１１  送りローラ１２  分離ローラ１３  上部搬送ガイド１４  下部搬送ガイド２０  第２搬送部２１  駆動ローラ２２  従動ローラ３０  第３搬送部３１  駆動ローラ３２  従動ローラ４０  重送検出センサ５０、６０  媒体検出センサ７０  画像読取ユニット７１  コンタクトイメージセンサ（ＣＩＳ）７４  上部金属製部材７５  下部弾性部材７６  下部金蔵製部材７７  収納部７８  金属製部材７９  除電ブラシ８０  制御部８４  通信部９０  表示パネル９１  下部パネル９３  表示画面１００  本体１０１  第１ヒンジ１０２  第２ヒンジ１０３  上部ユニット１０４  下部ユニット１０５  本体ヒンジ１１０  給送トレイ１１１  規制部材１２２  操作キー１４０  上部弾性部材１４１  接点部
２０１  ロック部材
２０２  フック部
２０３  フック爪
２０４  引っ張りバネ
２０５  操作アーム
３０１  支持フレーム
３０２  コイルバネ
４０１ａ  導電部材１
４０１ｂ  導電部材２
５０１  弾性部材下
５０２  接点部
６０１  筒部
６０２  軸部
６０３  開口部
６０４  突出部
６０５  電気基板
【図１】
0006697934.tif 000002
【図２】
0006697934.tif 000003
【図３】
0006697934.tif 000004
【図４】
0006697934.tif 000005
【図５】
0006697934.tif 000006
【図６】
0006697934.tif 000007
【図７】
0006697934.tif 000008
【図８】
0006697934.tif 000009
【図９】
0006697934.tif 000010
【図１０】
0006697934.tif 000011
【図１１】
0006697934.tif 000012
【図１２】
0006697934.tif 000013
【図１３】
0006697934.tif 000014
【図１４】
0006697934.tif 000015
【図１５】
0006697934.tif 000016
【図１６】
0006697934.tif 000017
【図１７】
0006697934.tif 000018